(57)【要約】      （修正有）【課題】地震の揺れに見舞われても、石材構造物を構成する各ブロックが水平方向に回転することなく、しかも石材の連結部の加工が容易な石材構造物を提供する。【解決手段】複数のブロック状の石材を積み上げてなる石材構造物において、石材構造物は、円柱形の嵌込突起１６と、嵌込突起１６を受け入れる円柱形の嵌込穴と、を備えており、前記嵌込突起１６を前記嵌込穴に嵌合することで高さ方向に連結され、前記嵌込突起１６は、円柱の側面から法線方向に突出する回転防止突起１６１を備え、前記嵌込穴は、穴の内壁に回転防止突起１６１を受け入れる回転防止溝を備え、ブロック状の石材を連結する際に回転防止突起１６１は回転防止溝に挿し込まれる。【選択図】図１
2013130006.tif 000002
【特許請求の範囲】
【請求項１】
複数のブロック状の石材を積み上げてなる石材構造物において、
該石材構造物は、円柱形の嵌込突起と、嵌込突起を受け入れる円柱形の嵌込穴と、を備えており、各石材は、前記嵌込突起を前記嵌込穴に嵌合することで高さ方向に連結され、
前記嵌込突起は、円柱の側面から法線方向に突出する回転防止突起を備え、
前記嵌込穴は、穴の内壁に回転防止突起を受け入れる回転防止溝を備え、ブロック状の石材を連結する際に回転防止突起を回転防止溝に挿しこむことを特徴とする石材構造物。
【請求項２】
嵌込突起は、着脱可能に構成した円柱形の部材であって、
嵌込穴は、複数のブロック状の石材を積み上げて石材構造物とした際に内部に形成される円筒形状の中空穴である請求項１に記載の石材構造物。
【請求項３】
嵌込突起は、複数のブロック状の石材のうちの一方の石材の当接面から突出する円柱形状の突起であって、
嵌込穴は、他方の石材の当接面に配される円柱形の凹穴である請求項１に記載の石材構造物。
【請求項４】
嵌込突起の長さを嵌込穴の長さよりも小さくし、複数のブロック状の石材を積み上げた際に石材構造物の内部に収納室が形成されるように構成した請求項１ないし３のいずれかに記載の石材構造物。
【請求項５】
回転防止突起の長さを嵌込突起の長さよりも小さく構成し、嵌込突起の上面に装飾を施した請求項４に記載の石材構造物。
【発明の詳細な説明】
【技術分野】
【０００１】
本発明は、石材が水平方向に回転しないように構成した石材構造物に関する。
【背景技術】
【０００２】
墓石や、灯篭等の石材構造物は複数のブロック状の石材を積み上げて構成する。例えば墓石を構成する石材を積み上げる際には、墓石の垂直方向に鉄芯を入れたり、特許文献１のように嵌め込み用の鍔付突起と、突起を受け入れる爪付凹穴を各ブロックに設けて、両者を係合させて、水平方向の外力が墓石に加えられても容易に倒壊しないように連結されている。
【０００３】
しかし、鉄芯を挿し通しただけでは、地震等による揺れで墓石を構成する各ブロックが水平方向に回転し、竿石の戒名が彫られた面が正面からずれてしまうという問題があった。特許文献１の墓石もまた、そのような水平回転を防止するものではない。
【０００４】
一方、特許文献２のように墓石を構成するブロックに嵌め込み用の突起と、突起を受け入れる凹穴を配して、両者を嵌合することで墓石を連結する墓石も提案されている。嵌め込み用の突起と、突起を受け入れる凹穴の形状を四角柱等の形状にすれば、竿石等の水平回転を防止することができる。しかし、角部を有する凹穴の成形は、まず丸穴を形成し、次いで切削により角部を形成する工程を経るため、加工が煩雑であるという問題があった。
【先行技術文献】
【特許文献】
【０００５】
【特許文献１】特開２００９−１６６１７４号公報
【特許文献２】特開２００２−３７１７２９号公報
【発明の概要】
【発明が解決しようとする課題】
【０００６】
地震の揺れに見舞われても、石材構造物を構成する各ブロックが水平方向に回転することがなく、しかも石材の連結部の加工が容易な石材構造物を提供することを目的とする。
【課題を解決するための手段】
【０００７】
複数のブロック状の石材を積み上げてなる石材構造物において、該石材構造物は、円柱形の嵌込突起と、嵌込突起を受け入れる円柱形の嵌込穴と、を備えており、各石材は、前記嵌込突起を前記嵌込穴に嵌合することで高さ方向に連結され、前記嵌込突起は、円柱の側面から法線方向に突出する回転防止突起を備え、前記嵌込穴は、穴の内壁に回転防止突起を受け入れる回転防止溝を備え、ブロック状の石材を連結する際に回転防止突起は回転防止溝に挿し込まれることを特徴とする石材構造物によって上記の課題を解決する。
【０００８】
本発明の石材構造物は、円柱形の嵌込突起と、円柱形にくり抜いた嵌込穴の嵌め合いによって複数のブロック状の石材を連結する。嵌込穴を円柱形としているので加工が容易である。ただし、円柱形の嵌込突起と、円柱形にくり抜いた嵌込穴の嵌め合いだけでは、地震等の揺れにより各石材が水平方向に回転してしまう。そこで、回転防止溝突起と、それを受け入れる回転防止溝を、嵌込突起と、嵌込穴にそれぞれ設けることで石材が水平方向に回転することを防止する。
【０００９】
嵌込突起は、着脱可能に構成した円柱形の部材とし、嵌込穴は、複数のブロック状の石材を積み上げて石材構造物とした際に内部に形成される円柱形状の中空穴とすることが好ましい。
【００１０】
嵌込突起は、複数のブロック状の石材のうちの一方の石材の当接面から突出する円柱形状の突起とし、嵌込穴は、他方の石材の当接面に配される円柱形の凹穴とすることが好ましい。
【００１１】
嵌込突起の長さを嵌込穴の長さよりも小さくし、複数のブロック状の石材を積み上げた際に石材構造物の内部に収納室が形成されるように構成することが好ましい。これにより、収納室に仏像等を収納して、故人の霊を供養することができる。また、回転防止突起の長さを嵌込突起の長さよりも小さく構成し、嵌込突起の上面に装飾を施すことが好ましい。このようにすれば、回転防止突起が嵌込突起の上面に達することがないので、回転防止突起によって嵌込突起の上面に施した装飾の美観が損なわれることがない。
【発明の効果】
【００１２】
本発明は、円柱形の嵌込突起、及び嵌込突起を受け入れる円柱形にくり抜いた嵌込穴の嵌め合いによって石材構造物を構成する複数のブロック状の石材を連結する。嵌込突起には回転防止突起を設け、嵌込穴には回転防止溝を設け、回転防止突起を回転防止溝に挿し込むことで水平方向に石材が回転することを効果的に防ぐことができる。
【図面の簡単な説明】
【００１３】
【図１】本発明の石材構造物の一実施例である墓石の正面図である。墓石内部の収納室、嵌込突起、及び回転防止突起を破線で示した。
【図２】図１の墓石の平面図である。墓石内部の嵌込突起、及び回転防止突起を破線で示した。
【図３】図１のA−A部分の断面図である。背面側に隠れている回転防止突起を破線で示した。
【図４】図１の嵌込突起を上面側から見た斜視図である。
【図５】図４の嵌込突起の底面図である。
【図６】図１の墓石を構成する下台の平面図である。
【図７】図１の墓石を構成する上台の平面図である。
【図８】図１の墓石を構成する布団石の平面図である。
【図９】図１の墓石を構成する竿石の底面図である。
【図１０】本発明の墓石の他の実施例を示す図３相当の断面図である。
【発明を実施するための形態】
【００１４】
以下、図面を参照して本発明を実施するための形態について説明する。
【００１５】
図１ないし図９は、本発明の石材構造物の一実施例の墓石１を図示したものである。図１ないし図３に示したようにこの墓石１は、四ツ石１１と、下台１２と、上台１３と、布団石１４と、竿石１５と、からなり、これらを記載した順に高さ方向に積み上げて構成される。本実施例では、基本的な墓石を例示するが、石材構造物を構成する石材の数や構成は特に限定されず、竿石１５の上に、球体の玉ブロック、及び笠ブロックを積み上げた墓石としたり、火袋を追加して灯篭としてもよい。
【００１６】
本実施例の墓石１は、図４に示した円柱形の嵌込突起１６を内蔵する。嵌込突起１６は墓石本体から着脱可能に構成した石柱であり、後述する嵌込穴１７に嵌め込まれる。この嵌込突起１６は側面から法線方向に突出する回転防止突起１６１を備える。本実施例では、回転防止突起１６１は嵌込突起１６の長手方向に沿って形成される一筋の突条としたが、法線方向に突出する単一、又は複数の突起として構成してもよい。
【００１７】
本実施例の回転防止突起１６１は、嵌込突起１６と別体に構成した。すなわち、図５に示したように、円柱形の嵌込突起１６の側面の一部を高さ方向に沿って切り欠いて凹溝を設け、そこに断面方形の角柱を嵌め込んで回転防止突起１６１とする構成である。固定棒の素材は特に限定されないが、石材、合成樹脂、金属などが構成すればよい。回転防止突起１６１は嵌込突起１６と一体に構成しても構わない。
【００１８】
一方、墓石１を構成する下台１２、上台１３、布団石１４、及び竿石１５は、図６ないし図９に示したように、嵌込突起１６を受け入れる円柱形の嵌込穴１７を備える。嵌込穴１７の形状はその平面視の形状が、嵌込突起１６の断面と相似形状となるようにし、嵌込突起１６を嵌込穴１７に差し込んだ際にがたつきが生じないようにしている。上台１３及び布団石１４の嵌込穴１７は貫通孔とし、嵌込突起１６を挿し通せるように構成してある。一方、下台１２及び竿石１５に設けた嵌込穴１７は凹穴としてある。上述のように、竿石１５の上に玉ブロックや笠ブロック等を積む場合は、玉ブロック等にも嵌込穴１７を設けて、竿石１５の嵌込穴を貫通孔としてもよい。嵌込穴１７は穴の内壁に回転防止突起１６１を受け入れる回転防止溝１７１を備える。本実施例の回転防止溝１７１は、その平面視の形状が、回転防止突起１６１の断面形状と相似形状となるようにし、回転防止突起１６１を回転防止溝１７１に差し込んだ際にがたつきが生じないようにしている。
【００１９】
本実施例では、回転防止溝１７１、及び回転防止突起１６１を一対設ける構成を例示したが、嵌込穴１７の円周方向に複数の回転防止溝１７１を設け、それに対応するように複数の回転防止突起１６１を嵌込突起１６に設ける構成としてもよい。
【００２０】
本実施例の、嵌込突起１６１は墓石１に対して着脱可能に構成される。この嵌込突起１６１は、下台１２、上台１３、布団石１４、及び竿石１５を積み上げて墓石１とした際に嵌込穴１７が連続して形成される円柱形状の中空穴に嵌め込まれ、下台１２、上台１３、布団石１４、及び竿石１５を高さ方向に連結する。また、嵌込突起１６１の長さを、竿石１５、布団石１４、及び上台１３を連結する程度の長さに留め、上台１３と下台１２は、他の方法で連結してもよい。この場合、下台１２は中実に構成し、上台１３に凹穴が設けられる。
【００２１】
着脱可能に構成した図３の嵌込突起１６１に換えて、図１０に示したように嵌込突起１２１を下台１２と一体に成形してもよい。すなわち、嵌込突起１２１は下台１２の当接面から上方に突出し、他方の石材である上台１３、布団石１４、及び竿石１５に嵌込穴１７を形成して円柱形の凹穴とし、この凹穴に嵌込突起１２１を嵌め込んで、上台１３、布団石１４、及び竿石１５と、下台１２を連結する構成である。この場合、回転防止突起１２２は同様に嵌込突起１２１と一体又は別体として構成することができる。また、嵌込突起１２１は上台１３から上方に突出する構成としてもよい。
【００２２】
上記の図１ないし図９の実施例、及び図１０の実施例では、嵌込突起１６、１２１の高さ方向の長さを、嵌込穴１７の長さよりも小さくしている。これにより、嵌込突起１６、１２１を嵌込穴１７に嵌め込んだ際に、収納室１７２が形成されるようにしている。この収納室１７２には、仏像等を収納して故人の霊を供養することができる。収納室１７２に対応する位置に開閉扉や、透明扉や、透明板を配して、収納室１７２を外から見ることができるように構成してもよい。収納室１７２を設ける場合は、図３に示したように、嵌込突起１６、１２１に配される回転防止突起１６１、１２２の長さは、嵌込突起１６の長さよりも小さくし、嵌込突起の上面に装飾１６２を施すことが好ましい。嵌込突起１６の上面は、収納室１７２の底面となるので、装飾１６２により収納室１７２の美観を高めることができる。また、このように構成すれば、装飾面や、収納室１７２の壁面に回転防止突起１６１、１２２や、回転防止溝１７１があらわれることがないので、収納室１７２の美観を損なうことなく仕上げることができる。図３の嵌込突起１６の上面には、装飾１６２として、蓮の実模様の彫刻が施してある。
【００２３】
上記実施例では、四ツ石１１、下台１２、上台１３、布団石14、及び竿石１５からなる墓石１を例示したが、石材構造物を構成する石材は特に限定されない。例えば、布団石１４を省略したり、玉石等を追加することも可能である。また、上記実施例では回転防止突起１６１、１２２を墓石１の背面側に配置したが、設ける位置は特に限定されず、例えば、墓石の正面側に配置してもよい。回転防止突起１６１、１２２には、施主の宗旨、宗派にならい「南無阿弥陀仏」、「倶会一処」等の彫刻を施すことができる。
【符号の説明】
【００２４】
１      墓石
１１    四ツ石
１２    下台
１３    上台
１４    布団石
１５    竿石
１６    嵌込突起
１６１  回転防止突起
１６２  装飾
１７    嵌込穴
１７１  回転防止溝
１７２  収納室
【図１】
2013130006.tif 000003
【図２】
2013130006.tif 000004
【図３】
2013130006.tif 000005
【図４】
2013130006.tif 000006
【図５】
2013130006.tif 000007
【図６】
2013130006.tif 000008
【図７】
2013130006.tif 000009
【図８】
2013130006.tif 000010
【図９】
2013130006.tif 000011
【図１０】
2013130006.tif 000012